【手続補正書】
【提出日】平成19年12月12日(2007.12.12)
【手続補正１】
【補正対象書類名】明細書
【補正対象項目名】特許請求の範囲
【補正方法】変更
【補正の内容】
【特許請求の範囲】
【請求項１】  回転軸を中心に軸回転し、Ｘ−ＹステージのＸ方向の移動情報を出力するＸ方向操作部と、回転軸を中心に回転し、前記Ｘ−ＹステージのＹ方向の移動情報を出力するＹ方向操作部と、前記Ｘ方向操作部及び前記Ｙ方向操作部のそれぞれに与えられた各操作量を検出し出力する第１の信号化手段とを備えたことを特徴とする遠隔操作装置。
【請求項２】  前記回転軸は、前記Ｘ方向操作部及び前記Ｙ方向操作部を垂直方向の直線周りに軸回転させるものであることを特徴とする請求項１に記載の遠隔操作装置。
【請求項３】  前記Ｘ方向操作部と前記Ｙ方向操作部を軸回転させる回点軸は同一であり、前記Ｘ方向操作部と前記Ｙ方向操作部は前記回転軸の軸方向に並列に設置されており、前記Ｘ方向操作部と前記Ｙ方向操作部は個別に回転操作可能に設置されていることを特徴とする請求項１に記載の遠隔操作装置。
【請求項４】  軸回転し、焦点調節の駆動情報を出力する焦点調節部と、
前記焦点調節部の操作量を検出し出力する信号化手段とを更に備えたことを特徴とする請求項１から請求項３の何れか１項に記載の遠隔操作装置。
【請求項５】  前記遠隔操作装置による遠隔操作の対象は、
観察倍率を切り替えるための電動レボルバと、前記電動レボルバを回転させる駆動装置とを有する電動顕微鏡であり、
前記遠隔操作装置は、前記電動レボルバを回転させる押しボタン式のレボルバ回転スイッチを有することを特徴とする請求項１から請求項４の何れか１項に記載の遠隔操作装置。
【請求項６】  前記レボルバ回転スイッチは、前記レボルバを正転させるスイッチと、逆転させるスイッチとの２つを備えることを特徴とする請求項５に記載の遠隔操作装置。
【請求項７】  前記Ｘ方向操作部及び前記Ｙ方向操作部を備える架台部を有し、
前記レボルバ回転スイッチは、
前記架台部の下部であり、前記架台部に向かって右側に設けられていることを特徴とする請求項５又は６に記載の遠隔操作装置。
【請求項８】  前記Ｘ方向操作部及び前記Ｙ方向操作部の配置箇所が調整可能に構成されていることを特徴とする請求項１から請求項７の何れか１項に記載の遠隔操作装置。
【請求項９】  前記遠隔操作装置による遠隔操作の対象は、
電動化されたＸＹステージと、対物レンズを切り替える電動レボルバと、更に前記ＸＹステージ又は前記電動レボルバをＺ方向に移動させ焦点調節を行わせるＺ駆動モータと、前記遠隔装置からの指示に従って顕微鏡を制御する顕微鏡制御部とを有する顕微鏡であることを特徴とする請求項１から請求項８の何れか１項に記載の遠隔操作装置。
【請求項１０】  外部から与えられた駆動信号に応じて移動するＸ−Ｙステージ、及び観察画像を撮像する撮像装置を有した顕微鏡装置と、観察画像を表示する表示装置と、前記顕微鏡装置を遠隔操作するための遠隔操作装置とからなる顕微鏡システムにおいて、前記遠隔操作装置には、回転軸を中心に軸回転し、Ｘ−ＹステージのＸ方向の移動情報を出力するＸ方向操作部及びＸ−ＹステージのＹ方向の移動情報を出力するＹ方向操作部と、前記Ｘ方向操作部及び前記Ｙ方向操作部のそれぞれに与えられた各操作量を検出し出力する第１の信号化手段とが備えられていることを特徴とする顕微鏡システム。
【手続補正２】
【補正対象書類名】明細書
【補正対象項目名】００１０
【補正方法】変更
【補正の内容】
【００１０】
【課題を解決するための手段】
本願発明は、回転軸を中心に軸回転し、Ｘ−ＹステージのＸ方向の移動情報を出力するＸ方向操作部と、回転軸を中心に回転し、前記Ｘ−ＹステージのＹ方向の移動情報を出力するＹ方向操作部と、前記Ｘ方向操作部及び前記Ｙ方向操作部のそれぞれに与えられた各操作量を検出し出力する第１の信号化手段とを備えた遠隔操作装置（請求項１）を提供する。
また本願発明は、前記回転軸は、前記Ｘ方向操作部及び前記Ｙ方向操作部を垂直方向の直線周りに軸回転させるものである請求項１に記載の遠隔操作装置（請求項２）を提供する。
また本願発明は、前記Ｘ方向操作部と前記Ｙ方向操作部を軸回転させる回点軸は同一であり、前記Ｘ方向操作部と前記Ｙ方向操作部は前記回転軸の軸方向に並列に設置されており、前記Ｘ方向操作部と前記Ｙ方向操作部は個別に回転操作可能に設置されている請求項１に記載の遠隔操作装置（請求項３）を提供する。
また本願発明は、軸回転し、焦点調節の駆動情報を出力する焦点調節部と、前記焦点調節部の操作量を検出し出力する信号化手段とを更に備えた請求項１から請求項３の何れか１項に記載の遠隔操作装置（請求項４）を提供する。
【手続補正３】
【補正対象書類名】明細書
【補正対象項目名】００１１
【補正方法】変更
【補正の内容】
【００１１】
また本願発明は、前記遠隔操作装置による遠隔操作の対象は、観察倍率を切り替えるための電動レボルバと、前記電動レボルバを回転させる駆動装置とを有する電動顕微鏡であり、前記遠隔操作装置は、前記電動レボルバを回転させる押しボタン式のレボルバ回転スイッチを有する請求項１から請求項４の何れか１項に記載の遠隔操作装置（請求項５）を提供する。
また本願発明は、前記レボルバ回転スイッチは、前記レボルバを正転させるスイッチと、逆転させるスイッチとの２つを備える請求項５に記載の遠隔操作装置（請求項６）を提供する。
また本願発明は、前記Ｘ方向操作部及び前記Ｙ方向操作部を備える架台部を有し、前記レボルバ回転スイッチは、前記架台部の下部であり、前記架台部に向かって右側に設けられている請求項５又は請求項６に記載の遠隔操作装置（請求項７）を提供する。
【手続補正４】
【補正対象書類名】明細書
【補正対象項目名】００１２
【補正方法】変更
【補正の内容】
【００１２】
また本願発明は、前記Ｘ方向操作部及び前記Ｙ方向操作部の配置箇所が調整可能に構成されている請求項１から請求項７の何れか１項に記載の遠隔操作装置(請求項８)を提供する。
また本願発明は、前記遠隔操作装置による遠隔操作の対象は、電動化されたＸＹステージと、対物レンズを切り替える電動レボルバと、更に前記ＸＹステージ又は前記電動レボルバをＺ方向に移動させ焦点調節を行わせるＺ駆動モータと、前記遠隔装置からの指示に従って顕微鏡を制御する顕微鏡制御部とを有する顕微鏡である請求項１から請求項８の何れか１項に記載の遠隔操作装置（請求項９）を提供する。
また本願発明は、外部から与えられた駆動信号に応じて移動するＸ−Ｙステージ、及び観察画像を撮像する撮像装置を有した顕微鏡装置と、観察画像を表示する表示装置と、前記顕微鏡装置を遠隔操作するための遠隔操作装置とからなる顕微鏡システムにおいて、前記遠隔操作装置には、回転軸を中心に軸回転し、Ｘ−ＹステージのＸ方向の移動情報を出力するＸ方向操作部及びＸ−ＹステージのＹ方向の移動情報を出力するＹ方向操作部と、前記Ｘ方向操作部及び前記Ｙ方向操作部のそれぞれに与えられた各操作量を検出し出力する第１の信号化手段とが備えられている顕微鏡システム（請求項１０）を提供する。
【手続補正５】
【補正対象書類名】明細書
【補正対象項目名】００１４
【補正方法】変更
【補正の内容】
【００１４】
図１において、図１０に示すものと同じものについては同一の符号を付して示す。
顕微鏡システム１には、図１０に示す顕微鏡システム９とは異なり、リモコン装置９４に代えてリモコン装置１０（詳細は後述する。）が備えられている。顕微鏡装置９０、ＣＣＤカメラ９２、モニタ９３については、顕微鏡システム９におけるものと同じものを使用できる。